(57)【要約】【課題】優れたフォース  フィードバック機能を備えたタッチ操作パネルの提供を目的とする。【解決手段】液晶表示部と、前記液晶表示部の表面に貼合された基材とを備え、前記基材は前記液晶表示部の外縁から外側に延出した延出部を有し、前記延出部の表面にタッチ操作部を配設し前記延出部の裏面に振動子を配設してあることを特徴とする。【選択図】  図１
2020024590.tif 000002
【特許請求の範囲】
【請求項１】
液晶表示部と、前記液晶表示部の表面に貼合された基材とを備え、
前記基材は前記液晶表示部の外縁から外側に延出した延出部を有し、
前記延出部の表面にタッチ操作部を配設し前記延出部の裏面に振動子を配設してあることを特徴とするタッチ操作パネル。
【請求項２】
前記基材はカバー基材又はタッチパネル基材であることを特徴とする請求項１記載のタッチ操作パネル。
【請求項３】
前記振動子は前記延出部の裏面に貼付された圧電素子であることを特徴とする請求項１又は２記載のタッチ操作パネル。
【発明の詳細な説明】
【技術分野】
【０００１】
本発明は、フォース  フィードバック機能を有するタッチ操作パネルに関する。
【背景技術】
【０００２】
静電容量方式のタッチパネルはカーナビゲーションディスプレイ，インフォメーションディスプレイ，各種電子機器の操作パネル，各種ＦＡ機器の操作パネル等に広く採用されている。
この静電容量方式のタッチパネルにあっては、操作荷重が概ねゼロであるため、使用者にとっては操作感が得られにくい性質を有している。
そこで、使用者の押圧操作を検知して、操作部に振動を与えるフォース  フィードバック機能を持たせることが検討されている。
【０００３】
例えば特許文献１には、保護基板の背面側に検出基板を備え、この保護基板は検出基板の周縁から張出した張出部の表面に振動体を固定した入力装置を開示する。
しかし、同公報に記載された振動体は、保護基板の張出部に固定されているものの、表示体と保護基板との間に検出体を接合し、保護基板全体を振動させることが前提になっているため、振動体の振動が保護基板の裏面に接合されている検出体や表示部にて阻害され、充分なフォース  フィードバック機能が得られにくい技術的課題がある。
【先行技術文献】
【特許文献】
【０００４】
【特許文献１】特開２０１１−１７５５０６号公報
【発明の概要】
【発明が解決しようとする課題】
【０００５】
本発明は、優れたフォース  フィードバック機能を備えたタッチ操作パネルの提供を目的とする。
【課題を解決するための手段】
【０００６】
本発明に係るタッチパネルは、液晶表示部と、前記液晶表示部の表面に貼合された基材とを備え、前記基材は前記液晶表示部の外縁から外側に延出した延出部を有し、前記延出部の表面にタッチ操作部を配設し前記延出部の裏面に振動子を配設してあることを特徴とする。
【０００７】
ここで、液晶表示部とは、液晶組成物を利用した平面状で薄型の視覚表示装置をいい、情報表示装置，画像表示装置等として広く使用されているものをいう。
【０００８】
静電容量方式のタッチパネルにおいては、この液晶表示部の表面に、押圧位置を検出するための透明なＩＴＯ膜が所定のパターンで形成されたセンサー基材と、その上にカバー基材とを接合させたものが採用されている。
また、このセンサー基材とカバー基材とを一体化し、一枚のガラス基板等の基材にセンサー面を一体的に形成したＯＧＳ（One Glass Solution）方式のタッチパネルも知られている。
そこで、本発明における基材には、液晶表示部の表面に貼り合せたセンサー基板の上に設けたカバー基材及び前記ＯＧＳにおけるタッチパネル基材の両方が含まれる。
【０００９】
本発明において振動子は、操作者がパネルにタッチした位置を検知し、前記基材（カバー基材又はタッチパネル基材）に振動を与えるものをいい、例えば振動子は前記延出部の裏面に貼付された圧電素子であってもよい。
【発明の効果】
【００１０】
本発明に係るタッチ操作パネルにあっては、液晶表示部の外縁から外側に延出部が延出するように基材を貼り合せるとともに、この延出部の表面側にタッチ操作部及び裏面側に振動子を配設したので、この延出部は振動子により振動しやすくなり、フォース  フィードバック機能が向上する。
【図面の簡単な説明】
【００１１】
【図１】本発明に係るタッチ操作パネルの構造例を示し、（ａ）は平面視、（ｂ）は側面視を模式的に示す。
【発明を実施するための形態】
【００１２】
本発明に係るタッチ操作パネルの構造例を以下図に基づいて説明する。
図１に、タッチ操作パネル１０の構造例を模式的に示す。
液晶表示部１２の表面にパネル状の基材１１を接着剤、両面テープ等にて貼り合せてある。
基材１１は、液晶表示部１２の外周部の外縁部１２ａ，１２ｂから外側に延出させた寸法Ｌの延出部１１ａを有する。
延出部１１ａの表面側には、指等で押圧入力するタッチ操作部（１４ａ〜１４ｃ），（１５ａ〜１５ｃ）を有し、裏面側に振動子（１３ａ〜１３ｄ）として圧電素子を貼り付けてある。
基材１１の端部１１ｂ，１１ｃは、自由端あるいは振動が阻害されないようにクッション材，弾性材等にて支持されている。
基材１１の延出部１１ａの表面側のタッチ操作部（１４ａ〜１４ｃ，１５ａ〜１５ｃ）のいずれかにタッチすると、それが静電容量的に検知され、図示を省略した制御回路にて少なくともその位置に対応した振動子（圧電素子）（１３ａ〜１３ｄ）に電気信号が送られ、その振動子が振動することで操作者にフィードバックされる。
特許文献１は、保護基板全体に振動を与えることを前提としているのに対して、本発明は延出部のタッチ操作部に対応して圧電素子が貼付固定されているので、この延出部が振動しやすくなっている。
即ち、延出部１１ａが液晶表示部１２に接合された外縁部１２ａ，１２ｂを支点にして、上下に振動しやすくなっている。
【００１３】
本実施例では、液晶表示部１２の左右両側に延出部１１ａを形成した例になっているが、そのうち一方のみでもよく、また上下方向の片側又は両側に形成してもよい。
延出部１１ａの形状に制限がなく、本実施例の略方形のみならず、用途やデザインに合せて、いろいろな形状にすることができる。
【００１４】
本実施例では、表面側のタッチ操作部に対応して、裏面側であってこのタッチ操作部の両側に一対の帯状の振動子（１３ａ，１３ｂ），（１３ｃ，１３ｄ）を設けた例になっているが、振動子の形状や配置位置はタッチ操作部の配置に合せて、適宜設計される。
【００１５】
図１では、一枚の基材１１にて表現したが、押圧位置を検知するガラスセンサーとカバーガラス（カバー基材）とを貼り合せた二枚以上の構造であってもよい。
なお、ＯＧＳ方式にあってはこの基材板１１は、タッチパネル基材となる。
また、基材１１の表面に防眩，反射防止，防汚等の各種機能フィルムを貼り合せることができる。
さらには、液晶表示部１２の表面部に対応して、基板１１側に拡大，縮小，スクロール等の機能を有する様にしてもよい。
【符号の説明】
【００１６】
１０      タッチ操作パネル
１１      基材
１１ａ    延出部
１２      液晶表示部
１３ａ    振動子
１４ａ    タッチ操作部
１５ａ    タッチ操作部
【図１】
2020024590.tif 000003
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
液晶表示部（１２）と、
液晶表示部（１２）の表面に貼合された基材（１１）を備え、
基材（１１）は液晶表示部（１２）の外縁から外側に延出した延出部（１１ａ）を有し、
延出部（１１ａ）の表面にタッチ操作部（１４ａ〜１４ｃ）（１５ａ〜１５ｃ）を配設し、
タッチ操作部（１４ａ〜１４ｃ）（１５ａ〜１５ｃ）の配置に合わせて延出部（１１ａ）の裏面に振動子（１３ａ〜１３ｄ）を配設したタッチ操作パネルであって、
振動子（１３ａ〜１３ｄ）による延出部（１１ａ）の振動が基材（１１）の端部（１１ｂ、１１ｃ）において阻害されないことを特徴とするタッチ操作パネル。
【請求項２】
端部（１１ｂ、１１ｃ）は自由端であることを特徴とする請求項１記載のタッチ操作パネル。
【請求項３】
端部（１１ｂ、１１ｃ）は弾性部材にて支持されていることを特徴とする請求項１記載のタッチ操作パネル。